(57)【要約】【課題】講義映像と講義で使用する資料を遠隔地で受講している受講生端末にリアルタイムに配信しているが、資料のどの部分を指示しているかわかりづらかった。【解決手段】講師端末上の講義資料上にポインタ図形を表示させ移動を可能にし、受講生端末上の講義資料上に、リアルタイムに講師端末の講義資料上のポインタ図形と同様な動作を再現する。また、リアルタイム型講義を終了すると、ポインタ図形の移動情報は蓄積され、蓄積された講義映像，音声，講義資料に加え、ポインタ図形の移動が再現され。【効果】講義資料上にポインタ図形を表示させ移動することにより、効果的な講義を実現し、臨場感あふれた遠隔教育が可能となる。【選択図】　図１
2004032582.tif 000002
【特許請求の範囲】
【請求項１】
電子的に格納された資料を視覚可能に表示する表示手段と、前記表示された資料の所定個所を指し示す指示手段と、前記指し示された位置の情報を送信する送信手段を有することを特徴とする情報処理装置。
【請求項２】
請求項１において、送信手段は、前記位置の情報と共に前記指し示された時間を送信することを特徴とする情報処理装置。
【請求項３】
資料情報，前記資料の特定位置を示す位置情報及び前記特定位置を示した時間に関する時間情報をネットワークを介して受取る受信手段と、前記受取った資料情報，位置情報及び時間情報をネットワークを介して送信する送信手段を有することを特徴とする情報処理装置。
【請求項４】
資料情報，前記資料の特定位置を示す位置情報及び前記特定位置を示した時間に関する時間情報をネットワークを介して受取る受信手段と、前記受取った資料情報に基づいて、前記時間情報に応じて、前記位置情報の位置に表示をなす表示手段を有することを特徴とする情報処理装置。
【請求項５】
電子的に格納された資料を視覚可能に表示し、前記表示された資料の所定個所を指し示して表示し、前記指し示された位置の情報を送信する情報処理方法。
【請求項６】
請求項５において、前記指し示されたことを検出し、検出の毎にその時間を表す情報と共に送信する情報処方法。
【請求項７】
請求項５において、前記位置は直交座標系であらわされ、表示モードと共に送信する情報処理方法。
【請求項８】
請求項５において、前記資料が変更されたことを示す情報及び変更された資料を特定する情報を送信する情報処理方法。
【請求項９】
資料情報，前記資料の特定位置を示す位置情報及び前記示された時間を表す情報をネットワークを介して受取り、前記受取った資料情報，位置情報及び時間情報をネットワークを介して送信する情報処理方法。
【請求項１０】
請求項９において、前記受取った情報を記憶する情報処理方法。
【請求項１１】
請求項１０において、前記記憶した情報を要求に応じて送信する情報処理方法。
【請求項１２】
請求項１１において、前記資料に関する講義を動画として受信し、記憶し、要求に応じて、前記資料と共に送信する情報処理方法。
【請求項１３】
請求項１２において、前記資料及び前記位置情報に対して前記動画を関連づける情報を送信する情報処理方法。
【請求項１４】
請求項１２において、前記資料及び前記位置情報に対して前記動画を関連づける情報は、複数対を一括的に送信する情報処理方法。
【請求項１５】
請求項１４において、前記資料の情報として前記資料が格納されているアドレスを送信する情報処理方法。
【請求項１６】
資料情報，前記資料の特定位置を示す位置情報及び前記示された時間の情報をネットワークを介して受取り、前記時間情報に基づいて、前記受取った資料情報に重ねて前記位置情報に応じた位置に所定の表示をなす情報処理方法。
【請求項１７】
請求項１６において、前記資料に関する動画を受信し、さらに、前記位置情報及び資料情報を複数対予め受信し、前記受信に基づいて前記動画の再現と共に前記指し示された位置を特定して表示する情報処理方法。
【発明の詳細な説明】
【０００１】
【発明の属する技術分野】
本発明は、情報処理装置及び情報処理方法に関する。
【０００２】
【従来の技術】
従来、一般にネットワークを用いた遠隔教育では、リアルタイム講義を実施した場合、講義映像と講義で使用する資料を遠隔地で受講している受講生視聴端末にリアルタイムに配信している。
【０００３】
このような技術は、例えば、特開平１０−１２９２３号公報に記載されている。
【０００４】
【発明が解決しようとする課題】
離れた場所に資料等の情報を送り、その資料に基づいて何らかの情報を共有する場合、特に、リアルタイム講義を遠隔で視聴できるようなシステムの場合、遠隔地で受講している受講生は、講義映像と音声及び講義資料を見ながら講義を受講している。しかしながら、資料のどの個所を説明しているかが視覚的に分からない状態でいる問題がある。
【０００５】
本発明は、この問題を解決するためになされたものであり、理解しやすく、情報の共有が容易な情報処理装置或いは情報処理方法を提供することにある。
【０００６】
【課題を解決するための手段】
前述した目的を達成するために本発明は、電子的に格納された資料を視覚可能に表示し、表示された資料の所定個所を指し示し、指し示された位置の情報を送信するように構成した。或いは、資料情報，資料の特定位置を示す位置情報及び示された時間情報をネットワークを介して受取り、受取った資料情報，位置情報及び時間情報をネットワークを介して送信するように構成した。或いは、資料情報，資料の特定位置を示す位置情報及び示された時間情報をネットワークを介して受取り、時間情報に基づいて、受取った資料情報に重ねて位置情報に応じた位置に所定の表示をなすように構成した。
【０００７】
【発明の実施の形態】
以下に、本発明の実施の形態を図を参照して詳細に説明する。図１は、全体概観図である。講義の様子は映像送信器（３２０）で受像されネットワーク（４００）を介して送信される。講義が開始されると、講師は講師用端末（あるいは、講師操作端末と称す。以下同様）（１００）を操作する。その操作によって、資料が教室内の大型スクリーンに表示されると、どの資料が表示されたがネットワーク（４００）を介して講義管理サーバ（２００）に送信される。また、講師が資料をポインタによって指し示すと、同様に、講義管理サーバ（２００）に送信される。一方、受講者は受講者端末（あるいは、受講生視聴端末と称す。以下同様）（３００）（３００Ａ，３００Ｂ，３００Ｃ）を操作することによって、リアルタイムで受講することができる。また、講義管理サーバ（２００）に蓄積されるので、講義終了後でも、受講視聴端末（３００）を操作することによって受講者は講義を受講することができる。ネットワーク（４００）は後述するように一般ＬＡＮ（ローカルエリアネットワーク）であるが、もちろん、インターネットとしても可能なことは技術的に明らかである。
【０００８】
次に、システムを図２を用いて説明する。図２は、講義をリアルタイムで実施している講師が操作する講師操作端末（１００）とネットワーク（４００）経由で、受講生が遠隔地で受講するために操作する受講生視聴端末（３００），講義映像や講義で使用する資料や講師操作端末（１００）上のポインタ図形の情報を中継し受講生視聴端末（３００）に送信する講義管理サーバ（２００）より構成されている。講師操作端末（１００）は、講師用制御手段（１０１）と講師用ポインタ表示手段（１０２）と講師用ポインタ情報送信手段（１０３）より構成されている。なお、講師用制御手段（１０１），講師用ポインタ表示手段（１０２）と講師用ポインタ情報送信手段（１０３）は、それぞれ、講師操作端末（１００）のソフトウエアとして動作する。
【０００９】
講師用制御手段（１０１）は、講義情報登録機能や講義開始機能やリアルタイム講義中の資料切替機能，講義終了機能を有している。
【００１０】
講義情報登録機能は、リアルタイム講義を実施するために、講義情報である講義番号や講義名や講義回数や講義で使用する資料を講義管理サーバのデータベースである情報記憶手段（２０５）に登録する。
【００１１】
講義開始機能は、実施したい講義を選択し、リアルタイム講義を開始するために講師操作端末上に該当する資料を表示する。又、講義開始時間をデータベースである情報記憶手段（２０５）に格納する。
【００１２】
資料切替機能は、リアルタイム講義を実施中に講師操作端末上で表示された資料を切替える機能である。
【００１３】
講義終了機能は、リアルタイム講義を終了させ、講義管理サーバ（２００）のデータベースである情報記憶手段（２０５）に講師操作端末の講義毎の終了時間格納する機能である。
【００１４】
講師用ポインタ表示手段（１０２）は、リアルタイム講義中に講師用制御手段（１０１）より、ポインタ表示命令があると、講義資料上にポインタ情報を表示する。さらに、ポインタ表示されたことを講師用ポインタ情報送信手段に通知する。
【００１５】
講師用ポインタ情報送信手段（１０３）は、ポインタ情報を受信後、講義管理サーバ（２００）の講義管理用ポインタ情報受信手段（２０１）に送信する。
【００１６】
講義管理サーバ（２００）は、講義管理用ポインタ情報受信手段（２０１）と講義管理用ポインタ情報制御手段（２０２），講義管理用ポインタ情報送信手段（２０３）とポインタテーブル（２０４）と情報記憶手段（２０５）より構成されている。ここで、講義管理用ポインタ情報受信手段（２０１）と講義管理用ポインタ情報制御手段（２０２），講義管理用ポインタ情報送信手段（２０３）とポインタテーブル（２０４）と情報記憶手段（２０５）は、それぞれ、講義管理サーバ（２００）のソフトウエアとして動作する。
【００１７】
講義管理用ポインタ情報受信手段（２０１）は、講師用ポインタ情報送信手段（１０３）よりポインタ情報を受信すると、ポインタ情報を講義管理用ポインタ情報制御手段（２０２）に引渡す。
【００１８】
講義管理用ポインタ情報制御手段（２０２）は、引渡されたポインタ情報をポインタテーブル（２０４）にポインタ情報を格納する。
【００１９】
又、ポインタ情報が引渡された時点の時刻で、受講生が受講している受講生操作端末を検索し、講義管理用ポインタ情報送信手段（２０３）に送信すべく受講生操作端末とポインタ情報を引渡す。
【００２０】
講義管理用ポインタ情報送信手段（２０３）は、送信すべく受講生操作端末にポインタ情報を送信する。
【００２１】
情報記憶手段は、データベースである。例えば、講義情報や講師操作端末が講義毎にリアルタイム講義の開始した時刻や終了した時刻を格納する。受講生操作端末が受講した開始時刻や終了時刻を格納しておく。
【００２２】
受講生視聴端末（３００）は、受講生用制御手段（３０１）と受講生用映像表示手段（３０２）と受講生用ポインタ情報受信手段（３０３）と受講生用ポインタ表示手段（３０５）と受講生用ポインタ再現手段（３０４）より構成されている。受講生用制御手段（３０１）と受講生用映像表示手段（３０２）と受講生用ポインタ情報受信手段（３０３）と受講生用ポインタ表示手段（３０５）と受講生用ポインタ再現手段（３０４）は、それぞれ、受講生視聴端末（３００）のソフトウエアとして機能する。
【００２３】
受講生用制御手段（３０１）は、リアルタイム講義又は蓄積型講義の受講開始できる機能を有している。リアルタイム講義の受講開始後は、講義管理サーバ
（２００）の講義管理用ポインタ情報送信手段（２０３）よりポインタ情報を受信する。
【００２４】
蓄積型講義の受講開始後は、受講生用映像表示手段により蓄積された講義映像と資料を表示し、受講生用ポインタ再現手段（３０４）により、ポインタ表示を再現する。
【００２５】
受講生用映像表示手段（３０２）は、受講開始後、遠隔地の講義映像を受信し映像を表示し講義の音声も同時に受信する。
【００２６】
受講生用ポインタ情報受信手段（３０３）は、ポインタ情報を受信後、受講生用ポインタ表示手段（３０５）に引渡す。
【００２７】
受講生用ポインタ表示手段（３０５）はポインタ情報により、資料上にポインタの図形を表示する。
【００２８】
受講生用ポインタ再現手段（３０４）は、蓄積された講義映像と資料に伴い、ポインタの図形を表示し再現する。
【００２９】
映像送信器（３２０）はカメラ（３２１）及びエンコード手段（３２２）よりなる。受講風景はカメラ（３２１）によって受像され、リアルタイムで、エンコード手段（３２２）によって伝送信号に変換されてネットワーク（４００）を介して講義管理サーバ（２００）等に送信される。講義開始から講義終了まで切れ目無く映像信号はネットワーク（４００）に向けて送り出される。
【００３０】
映像送信器（３２０），講師操作端末（１００），講義管理サーバ（２００）及び受講生視聴端末（３００）は、それぞれ、電文信号或いは画像信号等をネットワーク（４００）を介して授受するが、各端末は適時信号を送り出すための要求を発し、それらは、ＬＡＮプロトコルによって秩序立てられる。
【００３１】
図３は、図２の講義管理サーバ（２００）のポインタテーブル（２０４）にポインタ情報が蓄積された場合の例である。
【００３２】
ポインタテーブル（２０４）は、講師操作端末（１００）でポインタを表示してから非表示するまで定周期で時系列に時間（Ｔ１０１），表示モード（Ｔ１０２），Ｘ座標（Ｔ１０３），Ｙ座標（Ｔ１０４）の情報を蓄積する。
【００３３】
時間（Ｔ１０１）は、ポインタを表示する時間を示す。
【００３４】
表示モード（Ｔ１０２）は、ポインタの表示状態を示し、ポインタの表示を開始する状態をポインタ表示開始とし、ポインタが表示状態の場合は、ポインタ表示中とし、ポインタ表示を終了する場合は、ポインタ表示終了という値を示す。
【００３５】
Ｘ座標（Ｔ１０３）とＹ座標（Ｔ１０４）は、ポインタを表示したときの座標を示す。
【００３６】
例えば、時間が００：００：００の場合は、表示モード（Ｔ１０２）はポインタ表示開始となり、資料上にポインタを表示する位置は、Ｘ座標は６となり、Ｙ座標は９の位置に表示することを意味する。
【００３７】
図４は、講義管理サーバ（２００）の情報記憶手段（２０５）の構成を示しており、講義番号（Ｔ２０１）と講義回数（Ｔ２０２）と講義名（Ｔ２０３）とポインタ情報ファイル名（Ｔ２０４）で構成されている。
【００３８】
講義番号（Ｔ２０１）は、講義に対するユニークな番号が付けられている。
【００３９】
講義回数（Ｔ２０２）は、講義名に対する回数の値である。
【００４０】
講義名（Ｔ２０３）は、講義名を定義する。
【００４１】
ポインタ情報ファイル名（Ｔ２０４）は、ポインタテーブル（２０４）の格納先と名称である。また、資料ファイル名（Ｔ２０５）は、ファイルテーブルの格納先と名称である。これらは、リアルタイム講義が開始時に自動的に生成されるファイルである。
【００４２】
図５は、講師操作端末（１００）や講義管理サーバ（２００）や受講生視聴端末（３００）間でネットワークを経由した通信フォーマットである。通信手段は、ＬＡＮフレームを使用している。ポインタ情報の送受信はデータ部にＸ座標（Ｔ３０１），Ｙ座標（Ｔ３０２），表示モード（Ｔ３０３）を格納してデータを送信している。また、画像データを送信する場合は、講義情報電文のデータとして画像情報が格納されている旨のヘッダとなり、さらに、データ部には圧縮画像情報が格納される。
【００４３】
図６には、資料ファイル（Ｔ２０５）の詳細が示されている。資料ファイル
（Ｔ２０５）には複数の資料が束ねられており、それぞれ別個のアドレスが付されている。
【００４４】
図６は、講師操作端末（Ｚ０１）と受講生視聴端末（Ｚ０２）間でのポインタ表示のイメージを示している。
【００４５】
講師操作端末（Ｚ０１）でポインタ表示を実施すると、講義資料（Ｚ０１ａ）上にポインタ図形（Ｚ０１ｂ）が表示され、同時にリアルタイムで受講生視聴端末（Ｚ０２）の講義資料（Ｚ０２ａ）上にポインタ図形（Ｚ０２ｂ）が同じ位置に表示される。
【００４６】
講師操作端末（Ｚ０１）上のポインタ図形（Ｚ０１ｂ）が移動すると、リアルタイムに受講生視聴端末（Ｚ０２）のポインタ図形（Ｚ０２ｂ）も同じように移動する。さらに、講師操作端末（Ｚ０１）上のポインタ図形（Ｚ０１ｂ）を非表示にすると、同時に受講生視聴端末（Ｚ０２）のポインタ図形（Ｚ０２ｂ）も同じように非表示になる。この動作については後述する。
【００４７】
図８〜図１０は、講師操作端末（１００）におけるリアルタイム講義を実施した場合のフロー図である。
【００４８】
講師操作端末で講師開始（Ｋ１００）するためには、講義に関する情報を事前に登録するための講義情報登録（Ｋ２００）が必要となる。
【００４９】
講義情報登録（Ｋ２００）の詳細については図９で説明する。
【００５０】
講義情報登録（Ｋ２００）後は、講義が実施可能となるので、リアルタイム講義開始（Ｋ３００）を実施する。講義開始すると、講師操作端末（１００）上に講義で使用する資料を表示する。リアルタイム講義中は、割込み処理（Ｋ４００）を実施することにより、講師操作端末（１００）の講義資料上にポインタの図形が表示され、講師は、資料の説明した部分にポインタ図形を指し示しながら説明していく。また、割込み処理（Ｋ４２０）を行うことにより、講師操作端末（１００）の講義資料上に所望の資料が表示され、講師は、この資料に基づいて講義を進めることができる。
【００５１】
ポインタ表示するための割込み処理（Ｋ４００）の仕組みは図１０で、資料選択は図１１で説明する。
【００５２】
講師が講義を終了したい場合は、講師操作端末（１００）で、リアルタイム講義終了（Ｋ５００）処理を実施する。講義終了すると、速やかに講義に関するポインタテーブルの格納先とファイル名を情報記憶手段であるデータベースに登録する。
【００５３】
講師操作端末で講義終了（Ｋ７００）を実施する。
【００５４】
図９は、講義情報登録のフロー図である。
【００５５】
講義情報登録開始（Ｋ２０１）を実施すると、講義操作端末より講義番号（Ｋ２０２），講義名（Ｋ２０３），講義回数（Ｋ２０４）を入力し、講義管理サーバ（２００）の情報記憶手段（２０５）のデータベースに登録（Ｋ２０５）する。登録が終了すると講義情報登録が終了（Ｋ２０６）する。講義情報が登録されると、その情報は、ネットワーク（４００）を介して講義管理サーバ（２００）に送信される。
【００５６】
図１０は、リアルタイム講義中のポインタ図形の表示処理の割込み処理を示したフローである。
【００５７】
割込開始（Ｋ４０１）が実施すると、表示モード（Ｋ４０２）がポインタ表示開始状態に設定される。そして、ポインタの座標を取得、ポインタ移動が開始され、ポインタを移動した時刻と共にポインタ移動情報を講義管理サーバに送信（Ｋ４０５）する。周期的にＫ４０２〜Ｋ４０５の処理である表示モードの状態の確認とポインタの座標の取得、そしてポインタの移動，ポインタ移動情報を講義管理サーバに送信する一連の処理が発生する。表示モード（Ｋ４０２）がポインタ表示終了状態となった場合は、割込み処理は終了（Ｋ４０６）する。講義管理サーバ（２００）への送信は図５に示されるＬＡＮフレームにしたがってなされる。
【００５８】
図１１は、リアルタイム講義中の資料選択の割込み処理を示したフローである。
【００５９】
割込開始（Ｋ４２１）がなされると、表示モード（Ｋ４２２）が資料選択に設定される。そして、講師が資料の繰り上げ或いは繰り下げを指定すると、資料番号を取得し（Ｋ４２３）、講義管理サーバに送信（Ｋ４２４）する。資料切り替えが終了すると、割込み処理は終了（Ｋ４２５）する。周期的にＫ４２２〜Ｋ４２５の処理を行い講義管理サーバに送信する一連の処理が発生する。講義管理サーバ（２００）への送信は図５に示されるＬＡＮフレームにしたがってなされる。
【００６０】
図１２，図１３は、講義管理サーバ（２００）におけるリアルタイム講義を実施した場合のフロー図である。ＬＡＮプロトコルに基づいて受信処理を行う
（Ｌ１００）。受信処理した情報を解析し、講義情報であるか判断する（Ｌ２００）。講義情報であれば、それらを情報記憶手段（２０５）に記憶させ、図５に示されるように、講義番号（Ｔ２０１），講義回数（Ｔ２０２）及び講義名（Ｔ２０３）に対応する、ポインタ情報ファイル名（Ｔ２０４）を作成すると共に、資料ファイル（Ｔ２０５）を読み出す（Ｌ３００）。
【００６１】
次に、受信した情報が映像情報か判断する（Ｌ４００）。映像情報であれば、映像情報を情報記憶手段（２０５）に蓄積し（Ｌ７００）、映像情報を受講生視聴端末（３００）に送信し、フローを終了する。一方、映像情報でない場合
（Ｌ４００）、割込処理（４）に移る。図１３に示される通り、情報の種類が資料情報であるか、或いは、ポイント情報であるか判断する（Ｌ５０４）。ポインタ情報であれば、図３に示されるように、ポインタＸ，Ｙ座標を蓄積し（Ｌ５０５）、ポインタＸ，Ｙ座標を受講生視聴端末（３００）に送信する。情報の種類は資料情報であれば、図６に示されるように、資料情報を蓄積し（Ｌ５０８）、資料情報を受講生視聴端末（３００）に送信する。
【００６２】
図１２に示すフローに戻り、講義終了であるか判断し、講義終了であれば、その旨を受講生視聴端末（３００）に送信し、そうでなければ、そのままフローを終了する。
【００６３】
次に、講義管理サーバ（２００）が、情報記憶手段（２０５）に蓄積された情報を基に、蓄積講義を処理する動作を説明する。まず、ＬＡＮプロトコルに基づいて受信処理を行う（Ｍ１００）。受信処理した情報を解析し、講義開始要求であるか判断する（Ｍ２００）。開始要求であれば、受講生視聴端末（３００）に、受講開始から受講終了までの資料情報及びポイント情報を予め全て送信する
（Ｍ３００）。開始要求でなければ、そのまま、フローを抜ける。情報記憶手段（２０５）に蓄積された映像情報を受講生視聴端末（３００）に逐次送信する。講義終了でなければ、映像情報を受講生視聴端末（３００）に送り続ける。すなわち、蓄積された講義が終了するまで映像を送り続ける。
【００６４】
図１５は、受講生視聴端末（３００）でリアルタイム講義又は蓄積講義を視聴した場合のフローである。なお、受講生視聴端末（３００）は後述するように汎用インターネット閲覧ブラウザを利用しており、いわゆる、インターネットアドレスを介してファイルの授受が可能となっている。
【００６５】
まず初めに、受講生は受講生視聴端末で受講開始（Ｊ１００）を実施する。すなわち、ＬＡＮを介して講義管理サーバ（２００）にアクセスし、図１７に示すような開始画面を呼び出す。その画面において、ユーザーＩＤを記入個所（１７０１）に、パスワードを記入個所（１７０２）に、キャンバス名を記入個所（１７０４）に、教室名を記入個所（１７０５）に記入して、ログインボタン（１７０６）を押す。
【００６６】
ログインがなされると、図１８に示されるメニュー画面が表示される。この画面では、講義名（１８０２）が羅列されており、講義名（１８０２）に対応して講師（１８０２），日時（１８０４），出席状況（１８０５），時限（１８０６），講義種別（１８０７）及び講義資料の有無（１８０８）が表示される。また、受講生名（１８０９）が表示される。この状態で、受講ボタン（１８０１）を押すと次の画面に移る。
【００６７】
図１８において受講ボタン（１８０１）が押されると、図１９に示される講義選択画面が表示される。この画面で、図１５における受講したい講義を選択
（Ｊ２００）する。講義種別（Ｊ３００）が蓄積講義であるかリアルタイム講義であるか判断する。すなわち、図１９の画面において、「蓄」（蓄積型講義）あるいは「リ」（リアルタイム講義）のボタンを押すと講義の選択となる。講義が選択されると、図２０に示される確認画面に移る。すなわち、講義名，受講社名，講義日時，講義番号，時限，撮影場所，講師所属，担当者等が表示される。受講開始ボタン（２００１）が押されると講義選択が確定する。
【００６８】
図１５に示されるフローに戻りリアルタイム講義の場合は、リアルタイム受講開始（Ｊ３１１）となり、講義映像や音声，講義資料が受講生視聴端末に表示する。
【００６９】
図２１に受講生端末に表示画面を示す。左側端部で且つ全体画面に対して縦と横が共に４分の１程度の大きさに講義画像表示エリア（２１０２）が設定されている。講義中は、この講義画像表示エリア（２１０２）にリアル映像（或いは蓄積映像）が表示される。また、右側に、全体画面に対して縦と横が共に４分の３程度の大きさに資料表示エリア（２１０２）が設定されている。
【００７０】
講師視聴端末でポインタ表示が開始された場合、割込み処理（Ｊ３１２）の処理が発生する。詳細は、図１０で説明する。
【００７１】
リアルタイム受講を終了したい場合は、リアルタイム受講終了（Ｊ３１３）を実施すると、受講履歴を講義管理サーバ（２００）である情報記憶手段（２０５）であるデータベースに登録（Ｊ４００）する。その後受講終了（Ｊ５００）となる。
【００７２】
蓄積講義の場合は、蓄積受講開始（Ｊ３２１）となり、蓄積された映像や音声，講義資料を表示する。ポインタ表示されている場合は、ポインタの再現処理を実施しポインタ図形を表示する。
【００７３】
受講を終了したい場合は、蓄積受講終了（Ｊ３２３）を実施すると、受講履歴を講義管理サーバ（２００）である情報記憶手段（２０５）であるデータベースに登録（Ｊ４００）する。その後受講終了（Ｊ５００）となる。
【００７４】
図１０は割込み処理（Ｊ３１２）を説明したフロー図である。
【００７５】
割込み処理が開始（Ｊ３１２−０１）され、表示モードの設定（Ｊ３１２−０２）でポインタ表示開始が設定される。次にポインタの座標を取得（Ｊ３１２−０３）し、ポインタ図形を表示（Ｊ３１２−０４）する。表示モードの設定（Ｊ３１２−０２）がポインタ表示終了になるまで、Ｊ３１２−０２からＪ３１２−０４まで繰り返し実施される。
【００７６】
表示モードの設定（Ｊ３１２−０２）がポインタ表示終了となると、割込み終了（Ｊ３１２−０５）となる。
【００７７】
図２２に講師資料と受講生側資料において同時にポインタが表示されることを図示する。
【００７８】
【発明の効果】
以上述べたように、表示内容が理解しやすく、情報送信者と情報の共有が容易な情報処理装置或いは情報処理方法が実現できる。
【図面の簡単な説明】
【図１】本発明の全体構成を示す図である。
【図２】原理説明するための図である。
【図３】ポインタテーブルの構成を示した図である。
【図４】情報記憶手段の構成を示した図である。
【図５】通信フォーマットを示した図である。
【図６】本発明の資料を示した図である。
【図７】ポインタ表示イメージを示した図である。
【図８】講師操作端末の操作フローを示した図である。
【図９】講義情報登録のフローを示した図である。
【図１０】講師操作端末のポインタ表示の割込みフローを示した図である。
【図１１】講師管理サーバの資料選択フローを示した図である。
【図１２】講師管理サーバのリアルタイム講義処理のフローを示した図である。
【図１３】講師管理サーバのリアルタイム講義処理における資料選択・ポインタ指定処理のフローを示した図である。
【図１４】講師管理サーバの蓄積講義処理におけるフローを示した図である。
【図１５】本発明の受講生操作端末の操作フローを示した図である。
【図１６】本発明の受講生操作端末のポインタ表示の割込みフローを示した図である。
【図１７】ログイン画面を示す図である。
【図１８】メニュー画面を示す図である。
【図１９】講義選択画面を示す図である。
【図２０】選択講義決定の画面を示す図である。
【図２１】受講画面を示す図である。
【図２２】表示画面におけるポインタ表示を示した図である。
【符号の説明】
１００…講師操作端末、１０１…講師用制御手段、１０２…講師用ポインタ表示手段、１０３…講師用ポインタ情報送信手段、２００…講義管理サーバ、２０１…講義管理用ポインタ情報受信手段、２０２…講義管理用ポインタ情報制御手段、２０３…講義管理用ポインタ情報送信手段、２０４…ポインタテーブル、２０５…情報記憶手段、３００…受講生視聴端末、３０１…受講生用制御手段、３０２…受講生用映像表示手段、３０３…受講生用ポインタ情報受信手段、３０４…受講生ポインタ再現手段、３０５…受講生用ポインタ表示手段、４００…ネットワーク。
【図１】
2004032582.tif 000003
【図２】
2004032582.tif 000004
【図３】
2004032582.tif 000005
【図４】
2004032582.tif 000006
【図５】
2004032582.tif 000007
【図６】
2004032582.tif 000008
【図７】
2004032582.tif 000009
【図８】
2004032582.tif 000010
【図９】
2004032582.tif 000011
【図１０】
2004032582.tif 000012
【図１１】
2004032582.tif 000013
【図１２】
2004032582.tif 000014
【図１３】
2004032582.tif 000015
【図１４】
2004032582.tif 000016
【図１５】
2004032582.tif 000017
【図１６】
2004032582.tif 000018
【図１７】
2004032582.tif 000019
【図１８】
2004032582.tif 000020
【図１９】
2004032582.tif 000021
【図２０】
2004032582.tif 000022
【図２１】
2004032582.tif 000023
【図２２】
2004032582.tif 000024